(57)【要約】【課題】高い光学密度及び鮮明な色相具現が可能であるだけでなく，耐水性，耐光性，耐ガス性，及び耐環境性のような印刷画像の耐久性が改善され，さらに，インクの溶解度及び安定性を向上させて一定の粘度を維持し，長期保管時の保存安定性とカートリッジの使用安定性が向上したインク組成物，それを含むインクジェットプリンタカートリッジ，インクジェット記録装置，インク混合物，インク組成物の製造方法及び画像形成方法を提供する。【解決手段】本発明は，マクロ発色団含有着色剤と，マクロ発色団含有着色剤と構造的特徴を共有する着色剤類似添加剤と，液体運搬体と，を含むインク組成物である。【選択図】図１
2006307221.tif 000002
【特許請求の範囲】
【請求項１】
マクロ発色団含有着色剤と，
前記マクロ発色団含有着色剤と構造的特徴を共有する着色剤類似添加剤と，
液体運搬体と，
を含むことを特徴とする，インク組成物。
【請求項２】
前記マクロ発色団含有着色剤が，
分子内に少なくとも６個以上の多重共鳴構造を有すると共に，少なくとも４個以上の縮合された炭素環または縮合されたアリール環を有する放射状型の着色剤Ａと，
着色剤分子内にアゾ基を少なくとも３個以上含む延長アゾ型の着色剤Ｂと，
少なくとも一つ以上の耐光性改善モイエティを有している着色剤Ｃと，
からなる群から選択された一つ以上であることを特徴とする，請求項１に記載のインク組成物。
【請求項３】
前記放射状型の着色剤Ａが，下記化学式１で表示されるアントラピリドン化合物，化学式２で表示されるカーボンブラック，化学式３で表示されるフタロシアニンブルー１５：３からなる群から選択されることを特徴とする，請求項２に記載のインク組成物。
【化１】
2006307221.tif 000040
【化２】
2006307221.tif 000041
【化３】
2006307221.tif 000042
【請求項４】
前記着色剤Ｂが，下記化学式４で表示される化合物であることを特徴とする，請求項２に記載のインク組成物。
【化４】
2006307221.tif 000043
【請求項５】
前記着色剤Ｃが，下記化学式５で表示される化合物であることを特徴とする，請求項２に記載のインク組成物。
【化５】
2006307221.tif 000044
【請求項６】
前記着色剤類似添加剤が，
下記化学式１３−ａ〜１３−ｈで表示されるＣ６〜Ｃ２０の少なくとも一つ以上の芳香族環が縮合されているか，または，炭素により連結されている芳香族環化合物であることを特徴とする，請求項１に記載のインク組成物。
【化６】
2006307221.tif 000045
【化７】
2006307221.tif 000046
【化８】
2006307221.tif 000047
【化９】
2006307221.tif 000048
【化１０】
2006307221.tif 000049
【化１１】
2006307221.tif 000050
【化１２】
2006307221.tif 000051
【化１３】
2006307221.tif 000052
前記式において，Ｒ１は，一置換または多置換の置換基であり，一つ以上のＨ，Ｃ１−Ｃ８の環，またはＣ４−Ｃ２０の脂環族，Ｃ２−Ｃ２０のアルケニル，Ｃ２−Ｃ２０のアルキニル，Ｃ１−Ｃ２０のアルコキシ，ハロゲン，ＮＯ２，ニトリル，置換または非置換の一級，二級，三級アミン，アンモニウム塩，置換または非置換のアミドまたはイミン，カルボン酸，リン酸，硫酸及びその塩であり，
Ｒ２は，一置換または多置換の置換基であり，Ｈ，Ｃ１−Ｃ８の環またはＣ４−Ｃ２０の脂環族，Ｃ１−Ｃ２０のアルキル，Ｃ２−Ｃ２０のアルケニル，Ｃ２−Ｃ２０のアルキニル，（エチレングリコール）ｑＲ３，（エチレングリコール）ｑ（プロピレングリコール）ｒＲ３，（エチレングリコール）ｑ（プロピレングリコール）ｒ（エチレングリコール）ｓＲ３であり，
前記Ｒ３は，Ｈ，ＣＯＯＨ，ＳＯ３Ｈ及びその塩，アミノ基及びその塩であり，ｑ，ｒ，ｓは，それぞれ１〜１０の整数であり，
ａは，１〜１０の整数である。
【請求項７】
前記着色剤類似添加剤が，
下記化学式１４−ａ〜１４−ｅで表示される少なくとも一つ以上の電子共役または電子の非局在化を含むＣ３−Ｃ３０の脂環族または環化合物であることを特徴とする，請求項１に記載のインク組成物。
【化１４】
2006307221.tif 000053
【化１５】
2006307221.tif 000054
【化１６】
2006307221.tif 000055
【化１７】
2006307221.tif 000056
【化１８】
2006307221.tif 000057
前記式において，Ｒ１は，一置換または多置換の置換基であり，一つ以上のＨ，Ｃ１−Ｃ８の環またはＣ４−Ｃ２０の脂環族，Ｃ２−Ｃ２０のアルケニル，Ｃ２−Ｃ２０のアルキニル，Ｃ１−Ｃ２０のアルコキシ，ハロゲン，ＮＯ２，ニトリル，置換または非置換の一級，二級，三級アミン，アンモニウム塩，置換または非置換のアミドまたはイミン，カルボン酸，リン酸，硫酸及びその塩であり，
Ｒ２は，一置換または多置換の置換基であり，Ｈ，Ｃ１−Ｃ８の環またはＣ４−Ｃ２０の脂環族，Ｃ１−Ｃ２０のアルキル，Ｃ２−Ｃ２０のアルケニル，Ｃ２−Ｃ２０のアルキニル，（エチレングリコール）ｑＲ３，（エチレングリコール）ｑ（プロピレングリコール）ｒＲ３，（エチレングリコール）ｑ（プロピレングリコール）ｒ（エチレングリコール）ｓＲ３であり，
前記Ｒ３は，Ｈ，ＣＯＯＨ，ＳＯ３Ｈ及びその塩，アミノ基及びその塩であり，ｑ，ｒ，ｓは，それぞれ１〜１０の整数であり，
Ｘ１は，Ｏ，Ｎ，Ｓ，またはＰであり，
Ｘ２は，Ｏ，Ｎ，Ｓ，またはＰであり，
Ｙは，Ｏ，Ｎ，Ｓ，またはＰであり，
ｌは，１〜１０の整数であり，
ｐは，１〜９の整数であり，
ｍは，１〜９の整数であり，
ｎは，１〜６の整数である。
【請求項８】
前記着色剤類似添加剤が，
下記化学式１５−ａ〜１５−ｄで表示される少なくとも一つ以上のヘテロ原子を含むＣ４−Ｃ１２である単環または多環芳香族化合物であることを特徴とする，請求項１に記載のインク組成物。
【化１９】
2006307221.tif 000058
【化２０】
2006307221.tif 000059
【化２１】
2006307221.tif 000060
【化２２】
2006307221.tif 000061
Ｒ１は，一置換または多置換の置換基であり，一つ以上のＨ，Ｃ１−Ｃ８の環またはＣ４−Ｃ２０の脂環族，Ｃ２−Ｃ２０のアルケニル，Ｃ２−Ｃ２０のアルキニル，Ｃ１−Ｃ２０のアルコキシ，ハロゲン，ＮＯ２，ニトリル，置換または非置換の一級，二級，三級アミン，アンモニウム塩，置換または非置換のアミドまたはイミン，カルボン酸，リン酸，硫酸及びその塩であり，
Ｒ２は，一置換または多置換の置換基であり，Ｈ，Ｃ１−Ｃ８の環またはＣ４−Ｃ２０の脂環族，Ｃ１−Ｃ２０のアルキル，Ｃ２−Ｃ２０のアルケニル，Ｃ２−Ｃ２０のアルキニル，（エチレングリコール）ｑＲ３，（エチレングリコール）ｑ（プロピレングリコール）ｒＲ３，（エチレングリコール）ｑ（プロピレングリコール）ｒ（エチレングリコール）ｓＲ３であり，
前記Ｒ３は，Ｈ，ＣＯＯＨ，ＳＯ３Ｈ及びその塩，アミノ基及びその塩であり，ｑ，ｒ，ｓは，それぞれ１〜１０の整数であり，
Ｘ３は，Ｏ，Ｎ，Ｓ，またはＰである。
【請求項９】
前記着色剤類似添加剤の含量は，着色剤１００質量部を基準として，２０〜２０００質量部であることを特徴とする，請求項１に記載のインク組成物。
【請求項１０】
前記液体運搬体の含量は，着色剤１００質量部を基準として，２００〜９０００質量部であることを特徴とする，請求項１に記載のインク組成物。
【請求項１１】
アルコール系溶媒，ケトン系溶媒，エステル系溶媒，多価アルコール系溶媒，含窒素系溶媒，及び含硫黄系溶媒からなる群から選択された一つ以上の有機溶媒がさらに含まれることを特徴とする，請求項１に記載のインク組成物。
【請求項１２】
前記有機溶媒の含量は，着色剤１００質量部を基準として，７〜４０００質量部であることを特徴とする，請求項１１に記載のインク組成物。
【請求項１３】
前記着色剤１００質量部を基準として，０．０７〜１０００質量部の界面活性剤がさらに含まれることを特徴とする，請求項１に記載のインク組成物。
【請求項１４】
前記液体運搬体は，水を含むことを特徴とする，請求項１に記載のインク組成物。
【請求項１５】
前記インク組成物の初期粘度は，１〜７ｃｐｓであることを特徴とする，請求項１に記載のインク組成物。
【請求項１６】
請求項１〜１３のうちいずれか一項に記載のインク組成物を含有するインクジェットプリンタカートリッジ。
【請求項１７】
請求項１〜１３のうちいずれか一項に記載のインク組成物を含有するインクジェットプリンタカートリッジを備えるインクジェット記録装置。
【請求項１８】
前記インクジェット記録装置は，アレイ型プリンタであることを特徴とする，請求項１７に記載のインクジェット記録装置。
【請求項１９】
一つ以上のマクロ発色団含有着色剤と，
一つ以上の前記マクロ発色団含有着色剤と相互作用する一つ以上の着色剤類似添加剤と，
液体運搬体と，
を含むことを特徴とする，インク組成物。
【請求項２０】
前記一つ以上のマクロ発色団含有着色剤と前記一つ以上のマクロ発色団含有着色剤との間の相互作用が疏水性相互作用であることを特徴とする，請求項１９に記載のインク組成物。
【請求項２１】
前記一つ以上の着色剤類似添加剤は，前記一つ以上のマクロ発色団含有着色剤と構造的特徴を共有する一つ以上の疎水性基を含み，前記一つ以上のマクロ発色団含有着色剤と前記一つ以上のマクロ発色団含有着色剤との間の相互作用を向上させることを特徴とする，請求項１９に記載のインク組成物。
【請求項２２】
前記一つ以上の着色剤類似添加剤は，複数の着色剤類似添加剤を含むことを特徴とする，請求項１９に記載のインク組成物。
【請求項２３】
前記複数の着色剤類似添加剤は，互いに同じものであることを特徴とする，請求項２２に記載のインク組成物。
【請求項２４】
前記着色剤類似添加剤のうち少なくとも二つ以上が相異なることを特徴とする，請求項２２に記載のインク組成物。
【請求項２５】
前記インク組成物内の前記一つ以上のマクロ発色団含有着色剤に対する前記一つ以上の着色剤類似添加剤の比は，１：５〜２０：１であることを特徴とする，請求項１９に記載のインク組成物。
【請求項２６】
前記インク組成物内の前記一つ以上のマクロ発色団含有着色剤に対する前記一つ以上の着色剤類似添加剤の比は，４：５〜１０：１であることを特徴とする，請求項１９に記載のインク組成物。
【請求項２７】
一つ以上のマクロ発色団含有着色剤，一つ以上の前記マクロ発色団含有着色剤と相互作用する一つ以上の着色剤類似添加剤，及び液体運搬体を含む第１インク組成物と；
前記第１インク組成物と異なる第２インク組成物と；
を含むことを特徴とする，インク混合物。
【請求項２８】
一つ以上のマクロ発色団含有着色剤，一つ以上の着色剤類似添加剤，及び液体運搬体を混合して均質混合物を形成する段階と，
前記均質混合物を濾過する段階と，
を含むことを特徴とする，インク組成物の製造方法。
【請求項２９】
前記均質混合物を濾過する前に，有機溶媒，湿潤剤，界面活性剤，分散剤及び粘度調節剤のうち一つ以上を，一つ以上のマクロ発色団含有着色剤，一つ以上の着色剤類似添加剤，及び液体運搬体と混合する段階をさらに含むことを特徴とする，請求項２８に記載のインク組成物の製造方法。
【請求項３０】
一つ以上のマクロ発色団含有着色剤，一つ以上の着色剤類似添加剤，及び液体運搬体を含むインク組成物を画像形成装置に統合する段階と，
インク組成物の液滴を基材上に画像方式パターンに吐出する段階と，
を含むことを特徴とする，画像形成方法。
【請求項３１】
前記画像形成装置は，熱インクジェット方式を使用し，前記熱インクジェット方式において画像形成装置のノズル内のインク組成物は，画像方式パターンに選択的に加熱することによって，前記インク組成物の液滴が画像方式パターンに吐出されることを特徴とする，請求項３０に記載の画像形成方法。
【請求項３２】
前記画像形成装置が，圧電インクジェット方式を使用し，前記インク組成物の液滴が圧電装置によって，画像方式パターンに吐出されることを特徴とする，請求項３０に記載の画像形成方法。
【発明の詳細な説明】
【技術分野】
【０００１】
本発明は，着色剤類似添加剤を含有したインク組成物，それを含むインクジェットプリンタカートリッジ，インクジェット記録装置，インク混合物，インク組成物の製造方法及び画像形成方法に係り，より詳細には，着色剤類似添加剤を含有して，色相具現に優れ，耐水性，耐光性，耐ガス性及び耐環境性などの印刷画像の耐久性が改善されたインク組成物，それを含むインクジェットプリンタカートリッジ，インクジェット記録装置，インク混合物，インク組成物の製造方法及び画像形成方法に関する。
【背景技術】
【０００２】
インクジェットプリンタ用のインク組成物の製造時に使われるブラック染料の例として，特許文献１に公知されたようにフードブラック２（Ｆｏｏｄ  Ｂｌａｃｋ  ２）が知られている。
【０００３】
前記ブラック染料とともに使用可能なカラーインク組成物は，黄色，マゼンタ，シアン染料を適用したインクジェットで構成されるが，この例としては，特許文献２に公知されたように，アシッドイエロー２３（Ａｃｉｄ  Ｙｅｌｌｏｗ  ２３），ダイレクトレッド２２７（Ｄｉｒｅｃｔ  Ｒｅｄ  ２２７），アシッドブルー９（Ａｃｉｄ  Ｂｌｕｅ  ９）があり，他の例としては，特許文献３のようにダイレクトイエロー８６（Ｄｉｒｅｃｔ  Ｙｅｌｌｏｗ  ８６），アシッドレッド５２（Ａｃｉｄ  Ｒｅｄ  ５２），アシッドブルー９などが共に適用された。その他に，特許文献４では，アシッドイエロー２３，アシッドレッド５２，アシッドブルー９がジエチレングリコールと共に適用されたものが知られている。
【０００４】
ところが，前記着色剤などは，色相具現は可能であるが，光，ガス及び熱に対する耐久性が脆弱であるため，印刷物の長期保管が困難である。
【０００５】
前記した問題点を解決するために，最近では，多重共鳴構造を有するか（例えば，特許文献５，特許文献６，特許文献７を参照），耐光性及び耐久性を強化させるために分散剤によって分散されるか，分散剤のなしに表面改質された自体分散顔料などを使用する技術が提案されている（例えば，特許文献８，特許文献９を参照）。
【０００６】
【特許文献１】米国特許第４，１９７，１３５号明細書
【特許文献２】米国特許第５，１４３，５４７号明細書
【特許文献３】米国特許第５，１４５，５１９号明細書
【特許文献４】米国特許第５，２７３，５７３号明細書
【特許文献５】米国特許第６，３１９，３０９号明細書
【特許文献６】米国特許第６，６４８，９５２号明細書
【特許文献７】米国特許第６，７４９，６７４号明細書
【特許文献８】米国特許第６，６４８，９５３号明細書
【特許文献９】米国特許第６，５０６，２４５号明細書
【特許文献１０】米国特許第５，３０２，１９７号明細書
【特許文献１１】特開２００４−０６７９０３号公報
【発明の開示】
【発明が解決しようとする課題】
【０００７】
しかし，前記着色剤は，分子構造全体における疎水性基が占める程度が増大して，親水性が低下し，それにより，溶解度が低下して十分な量の着色剤を適用し難い。また，インク内でも着色剤の安定性を維持し難いため，着色剤が析出されるか，インクの層分離を誘発し，さらに，インクの粘度が急激に上昇して吐出し難いだけでなく，結局はカートリッジのノズルを詰まらせて，それ以上使用できなくなる，という問題があった。
【０００８】
そこで，本発明は，このような問題に鑑みてなされたもので，その目的は，前記問題点を解決して高い光学密度及び鮮明な色相具現が可能であるだけでなく，耐水性，耐光性，耐ガス性，及び耐環境性のような印刷画像の耐久性が改善され，さらに，インクの溶解度及び安定性を向上させて一定の粘度を維持し，長期保管時の保存安定性とカートリッジの使用安定性が向上したインク組成物，それを含むインクジェットプリンタカートリッジ，インクジェット記録装置，インク混合物，インク組成物の製造方法及び画像形成方法を提供することにある。
【課題を解決するための手段】
【０００９】
上記課題を解決するために本発明の第１の観点によれば，マクロ発色団含有着色剤と，前記マクロ発色団含有着色剤と構造的特徴を共有する着色剤類似添加剤と，液体運搬体と，を含むインク組成物が提供される。
【００１０】
前記マクロ発色団含有着色剤は，分子内に少なくとも６個以上の多重共鳴構造を有すると共に，少なくとも４個以上の炭素環またはアリール環が縮合された放射状型の着色剤Ａと，着色剤分子内にアゾ基を少なくとも３個以上含む延長アゾ型の着色剤Ｂと，少なくとも一つ以上の耐光性改善モイエティを有している着色剤Ｃと，のうち選択された一つ以上であってもよい。
【００１１】
上記課題を解決するために本発明の第２の観点によれば，前述したインク組成物を含有するインクジェットプリンタカートリッジが提供される。
【００１２】
上記課題を解決するために本発明の第３の観点によれば，前述したインクジェットプリンタカートリッジを備えたインクジェット記録装置が提供される。
【００１３】
液体運搬体は，水を含みうる。インク組成物の初期粘度は，約１〜約７ｃｐｓでありうる。
【００１４】
上記課題を解決するために本発明の第４の観点によれば，一つ以上のマクロ発色団含有着色剤と，一つ以上の前記マクロ発色団含有着色剤と相互作用する一つ以上の着色剤類似添加剤と，液体運搬体と，を含むインク組成物が提供される。
【００１５】
一つ以上のマクロ発色団含有着色剤及び一つ以上のマクロ発色団含有着色剤間の相互作用は，疏水性相互作用を含みうる。一つ以上の着色剤類似添加剤は，前記一つ以上のマクロ発色団含有着色剤と構造的特徴を共有する一つ以上の疎水性基を含み，一つ以上のマクロ発色団含有着色剤及び一つ以上のマクロ発色団含有着色剤間の相互作用を向上させることができる。前記一つ以上の着色剤類似添加剤は，複数の着色剤類似添加剤を含みうる。前記複数の着色剤類似添加剤は，互いに同じものでありうる。二つ以上の複数の着色剤類似添加剤が相異なることがある。前記インク組成物内の前記一つ以上のマクロ発色団含有着色剤に対する前記一つ以上の着色剤類似添加剤の比は，１：５〜２０：１でありうる。前記インク組成物内の前記一つ以上のマクロ発色団含有着色剤に対する前記一つ以上の着色剤類似添加剤の比は，４：５〜１０：１でありうる。
【００１６】
上記課題を解決するために本発明の第５の観点によれば，一つ以上のマクロ発色団含有着色剤と，一つ以上の前記マクロ発色団含有着色剤と相互作用する一つ以上の着色剤類似添加剤と，液体運搬体と，を含む第１インク組成物と；第１インク組成物と異なる第２インク組成物と；を含むインク混合物が提供される。
【００１７】
上記課題を解決するために本発明の第６の観点によれば，一つ以上のマクロ発色団含有着色剤，一つ以上の着色剤類似添加剤，及び液体運搬体を混合して均質混合物を形成する段階と，前記均質混合物を濾過する段階と，を含むインク組成物の製造方法が提供される。前記均質混合物を濾過する前に，有機溶媒，湿潤剤，界面活性剤，分散剤及び粘度調節剤のうち一つ以上を，一つ以上のマクロ発色団含有着色，一つ以上の着色剤類似添加剤，及び液体運搬体と混合する段階をさらに含みうる。
【００１８】
上記課題を解決するために本発明の第７の観点によれば，一つ以上のマクロ発色団含有着色，一つ以上の着色剤類似添加剤，及び液体運搬体を含むインク組成物を画像形成装置に統合する段階と，インク組成物の液滴を基材上に画像方式パターンに吐出する段階と，を含む画像形成方法が提供される。前記画像形成装置は，熱インクジェット方式を使用でき，前記熱インクジェット方式で画像形成装置のノズル内のインク組成物は，画像方式パターンに選択的に加熱することによって，前記インク組成物の液滴が画像方式パターンに吐出させる。前記画像形成装置が圧電インクジェット方式を使用でき，前記インク組成物の液滴が圧電装置によって，画像方式パターンに吐出される。
【発明の効果】
【００１９】
本発明のインク組成物は，印刷画像の高い光学密度及び鮮明な色相具現が可能であり，耐水性，耐光性，耐ガス性，及び耐環境性などの印刷画像の耐久性が改善され，長期間保管しても保存安定性に優れ，インクジェットプリンタカートリッジでのノズル詰まりを誘発しない。
【発明を実施するための最良の形態】
【００２０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２１】
本発明は，少なくとも一つ以上のカラーインクで構成されたインクジェットインク組成物において，それぞれのインクは，少なくとも一つ以上のマクロ発色団含有着色剤，着色剤類似添加剤，及び液体運搬体（例えば，水）からなる。
【００２２】
前記マクロ発色団含有着色剤は，放射形型の着色剤，延長アゾ型の着色剤，及び一つ以上の耐光性改善モイエティを有する着色剤の３類型に区分可能である。また，マクロ発色団含有着色剤は，前記３類型のうち一つ以上でありうる。
【００２３】
第一に，分子内に少なくとも６個以上の多重共鳴構造を有すると共に，少なくとも４個以上の炭素環またはアリール環が縮合された放射状型の着色剤があり，その代表的な例として，米国特許第６，６４８，９５２号明細書で公知された化学式１で表示されるアントラピリドン化合物，化学式２で表示されるカーボンブラック，化学式３で表示されるフタロシアニンブルー１５：３がある。
【００２４】
【化１】
2006307221.tif 000003
【００２５】
【化２】
2006307221.tif 000004
【００２６】
【化３】
2006307221.tif 000005
【００２７】
第二に，着色剤分子内に色具現に寄与するアゾ基を少なくとも３個以上含む延長アゾ型の着色剤がある。前記アゾ基の代わりに前記アゾ基と類似して非共有電子対を有するＯ，Ｓ，Ｐ含有基を含む着色剤もこのタイプに属すると見ることができる。
【００２８】
前記第２類型の着色剤としては，米国特許第６，７４９，６７４号明細書で公知された化学式４で表示されるＣ．Ｉ．Ｄｉｒｅｃｔ  Ｂｌａｃｋ  ６２がある。
【００２９】
【化４】
2006307221.tif 000006
【００３０】
第三に，少なくとも一つ以上の耐光性改善モイエティを有している着色剤がある。ここで耐光性改善モイエティは，耐光性を向上させることができる成分を示し，その具体的な例として，米国特許第６，５０８，８７２号明細書で公知されたようなトリアジン，ベンズイミダゾール，テトラゾール及びその誘導体などがある。
【００３１】
前記第３類型着色剤の例としては，米国特許第６，３１９，３０９号明細書で公知された化学式５で表示される化合物が挙げられる。
【００３２】
【化５】
2006307221.tif 000007
【００３３】
本発明で使われるマクロ発色団含有着色剤は，前述した３類型のうちいずれか一つ類型に属するよりは，２種類以上の類型に同時に属する複合的な形態の化合物でありうる。
本発明で使われる着色剤類似添加剤は，着色剤内に含まれた芳香族環や局所電子分子基との相互作用を向上させることができる類似構造の疎水性基（Ａ），水素または親水性基であるＲ１基，及び置換基であるＲ２で構成されている。
【００３４】
【化６】
2006307221.tif 000008
【００３５】
前記化学式１２の着色剤類似添加剤の非制限的な例は，下記化学式１３〜１５で表示される化合物がある。
【００３６】
ｉ）Ｃ６−Ｃ２０の少なくとも一つ以上の芳香族環が縮合されているか，炭素により連結されている芳香族環化合物（化学式１３−ａ〜１３−ｈ）
【００３７】
【化７】
2006307221.tif 000009
【００３８】
【化８】
2006307221.tif 000010
【００３９】
【化９】
2006307221.tif 000011
【００４０】
【化１０】
2006307221.tif 000012
【００４１】
【化１１】
2006307221.tif 000013
【００４２】
【化１２】
2006307221.tif 000014
【００４３】
【化１３】
2006307221.tif 000015
【００４４】
【化１４】
2006307221.tif 000016
【００４５】
前記式において，Ｒ１は，一置換または多置換の置換基であり，一つ以上のＨ，Ｃ１−Ｃ８の環，またはＣ４−Ｃ２０の脂環族，Ｃ２−Ｃ２０のアルケニル，Ｃ２−Ｃ２０のアルキニル，Ｃ１−Ｃ２０のアルコキシ，ハロゲン，ＮＯ２，ニトリル，置換または非置換の一級，二級，三級アミン，アンモニウム塩，置換または非置換のアミドまたはイミン，カルボン酸，リン酸，硫酸及びその塩であり，Ｒ２は，一置換または多置換の置換基であり，Ｈ，Ｃ１−Ｃ８の環またはＣ４−Ｃ２０の脂環族，Ｃ１−Ｃ２０のアルキル，Ｃ２−Ｃ２０のアルケニル，Ｃ２−Ｃ２０のアルキニル，（エチレングリコール）ｑＲ３，（エチレングリコール）ｑ（プロピレングリコール）ｒＲ３，（エチレングリコール）ｑ（プロピレングリコール）ｒ（エチレングリコール）ｓＲ３であり，前記Ｒ３は，Ｈ，ＣＯＯＨ，ＳＯ３Ｈ及びその塩，アミノ基及びその塩であり，ｑ，ｒ，ｓは，それぞれ１〜１０の整数であり，ａは，１〜１０の整数である。
【００４６】
ｉｉ）少なくとも一つ以上の電子共役または電子の非局在化を含むＣ３−Ｃ３０の脂環族または環化合物（化学式１４−ａ〜１４−ｅ）
【００４７】
【化１５】
2006307221.tif 000017
【００４８】
【化１６】
2006307221.tif 000018
【００４９】
【化１７】
2006307221.tif 000019
【００５０】
【化１８】
2006307221.tif 000020
【００５１】
【化１９】
2006307221.tif 000021
【００５２】
前記式において，Ｒ１は，一置換または多置換の置換基であり，一つ以上のＨ，Ｃ１−Ｃ８の環またはＣ４−Ｃ２０の脂環族，Ｃ２−Ｃ２０のアルケニル，Ｃ２−Ｃ２０のアルキニル，Ｃ１−Ｃ２０のアルコキシ，ハロゲン，ＮＯ２，ニトリル，置換または非置換の一級，二級，三級アミン，アンモニウム塩，置換または非置換のアミドまたはイミン，カルボン酸，リン酸，硫酸及びその塩であり，Ｒ２は，一置換または多置換の置換基であり，Ｈ，Ｃ１−Ｃ８の環またはＣ４−Ｃ２０の脂環族，Ｃ１−Ｃ２０のアルキル，Ｃ２−Ｃ２０のアルケニル，Ｃ２−Ｃ２０のアルキニル，（エチレングリコール）ｑＲ３，（エチレングリコール）ｑ（プロピレングリコール）ｒＲ３，（エチレングリコール）ｑ（プロピレングリコール）ｒ（エチレングリコール）ｓＲ３であり，前記Ｒ３は，Ｈ，ＣＯＯＨ，ＳＯ３Ｈ及びその塩，アミノ基及びその塩であり，ｑ，ｒ，ｓは，それぞれ１〜１０の整数であり，Ｘ１は，Ｏ，Ｎ，Ｓ，またはＰであり，Ｘ２は，Ｏ，Ｎ，Ｓ，またはＰであり，Ｙは，Ｏ，Ｎ，Ｓ，またはＰであり，ｌは，１〜１０の整数であり，ｐは，１〜９の整数であり，ｍは，１〜９の整数であり，ｎは，１〜６の整数である。
【００５３】
ｉｉｉ）少なくとも一つ以上のヘテロ原子を含むＣ４−Ｃ１２の単環または多環芳香族化合物（化学式１５−ａ〜１５−ｄ）
【００５４】
【化２０】
2006307221.tif 000022
【００５５】
【化２１】
2006307221.tif 000023
【００５６】
【化２２】
2006307221.tif 000024
【００５７】
【化２３】
2006307221.tif 000025
【００５８】
Ｒ１は，一置換または多置換の置換基であり，一つ以上のＨ，Ｃ１−Ｃ８の環またはＣ４−Ｃ２０の脂環族，Ｃ２−Ｃ２０のアルケニル，Ｃ２−Ｃ２０のアルキニル，Ｃ１−Ｃ２０のアルコキシ，ハロゲン，ＮＯ２，ニトリル，置換または非置換の一級，二級，三級アミン，アンモニウム塩，置換または非置換のアミドまたはイミン，カルボン酸，リン酸，硫酸及びその塩であり，Ｒ２は，一置換または多置換の置換基であり，Ｈ，Ｃ１−Ｃ８の環またはＣ４−Ｃ２０の脂環族，Ｃ１−Ｃ２０のアルキル，Ｃ２−Ｃ２０のアルケニル，Ｃ２−Ｃ２０のアルキニル，（エチレングリコール）ｑＲ３，（エチレングリコール）ｑ（プロピレングリコール）ｒＲ３，（エチレングリコール）ｑ（プロピレングリコール）ｒ（エチレングリコール）ｓＲ３であり，前記Ｒ３は，Ｈ，ＣＯＯＨ，ＳＯ３Ｈ及びその塩，アミノ基及びその塩であり，ｑ，ｒ，ｓは，それぞれ１〜１０の整数であり，Ｘ３は，Ｏ，Ｎ，Ｓ，またはＰである。
【００５９】
前述したように，前記化学式１３〜１５の着色剤類似添加剤は，マクロ発色団含有着色剤の溶解度及び保存安定性に大きく寄与するが，特に，放射状型の着色剤とは化学式１３の有機溶媒がバルキーな縮合環との親和力による分子間相互作用がはるかに増進し，着色剤のうち延長アゾ型は，化学式１４の少なくとも一つ以上の二重結合を含む着色剤類似添加剤が二重結合間の疏水性−疏水性相互作用により，その影響が強化されうる。また，第３類型の着色剤は，その分子内に含まれたトリアジン誘導体とその類型が類似したヘテロ原子を含む着色剤類似添加剤である化学式１５によって，さらに安定化されると見ることができるが，前記の特別な構造的類似性と共に，マクロ発色団含有着色剤と着色剤類似添加剤との間の疏水性−疏水性相互作用によって，分子の接近が容易であり，着色剤類似添加剤の親水性基による水での溶解度が十分であれば，前記着色剤類似添加剤の何れも適用が可能であり，また，一種以上の混合適用によりその影響をさらに向上させうる。
【００６０】
本発明のインク組成物において，前記着色剤類似添加剤の含量は，マクロ発色団含有着色剤１００質量部を基準として，約２０〜約２０００質量部であることが望ましい。例えば，インク組成物内の着色剤類似添加剤の含量は，マクロ発色団含有着色剤１００質量部を基準として，約１２０〜約１０００質量部，約８０〜約２０００質量部，約１２０〜約１０００質量部，約１２０〜約６００質量部，約１８０〜約６００質量部，約３５０〜約６００質量部，または約３５０〜約５００質量部でありうる。仮りに，着色剤類似添加剤の含量が約２０質量部未満であれば，着色剤の溶解度が低下して，インク内で着色剤の安定性を維持し難く，ノズル詰まりが発生しやすく，約２０００質量部を超過すれば，インク組成物の粘度が上昇して吐出し安定性に影響を与えるために望ましくない。
【００６１】
インク組成物内でマクロ発色団含有着色剤に対する着色剤類似添加剤（または着色剤類似添加剤混合物）の比は，約１：５〜約２０：１でありうる。例えば，インク組成物内でマクロ発色団含有着色剤に対する着色剤類似添加剤の比は，約１：５〜約１０：１，約４：５〜約２０：１，及び約１：１〜約６：１でありうる。また，インク組成物内でマクロ発色団含有着色剤に対する着色剤類似添加剤の比は，約１：５，約４：５，約１：１，約６：５，約７：２，約９：５，約５：１，約６：１，約１０：１，または約２０：１でありうる。
【００６２】
本発明のインク組成物において水の含量は，マクロ発色団含有着色剤１００質量部を基準として，約２００〜約９０００質量部であることが望ましい。
【００６３】
本発明のインク組成物には，前記着色剤類似添加剤以外に必要によって１種以上の有機溶媒がさらに含まれうる。このような有機溶媒として，アルコール系溶媒，ケトン系溶媒，エステル系溶媒，多価アルコール系溶媒，含窒素系溶媒，ジメチルスルホキシド，テトラメチルスルホン，及びチオグリコールの含硫黄化合物からなる群から選択された一つ以上が使われる。そして，前記有機溶媒の含量は，マクロ発色団含有着色剤１００質量部を基準として，約７〜約４０００質量部であることが付加効果に優れて望ましい。
【００６４】
前記アルコール系溶媒としては，メチルアルコール，エチルアルコール，ｎ−プロピルアルコール，イソプロピルアルコール，ｎ−ブチルアルコール，ｓｅｃ−ブチルアルコール，ｔ−ブチルアルコールまたはイソブチルアルコールがあり，前記ケトン系溶媒としては，アセトン，メチルエチルケトン，ジエチルケトンまたはジアセトンアルコールがあり，前記エステル系溶媒としては，酢酸メチル，酢酸エチルまたは乳酸エチルがあり，前記多価アルコール系溶媒の例としては，エチレングリコール，ジエチレングリコール，トリエチレングリコール，プロピレングリコール，ブチレングリコール，１，４−ブタンジオール，１，２，４−ブタントリオール，１，５−ペンタンジオール，１，２，６−ヘキサントリオール，へキシレングリコール，グリセロール，グリセロールエトキシレートまたはトリメチロールプロパンエトキシレートがある。
【００６５】
前記含窒素系溶媒の例としては，２−ピロリドンまたはＮ−メチル−２−ピロリドンがあり，前記含硫黄系溶媒の例としては，ジメチルスルホキシド，テトラメチレンスルホンまたはチオグリコールがある。
【００６６】
前記インク組成物には，インク組成物の表面張力を調節して，ノズルでのジェッティング性能を安定化させ，インクがメディアに透過される程度を調節するために，界面活性剤がさらに含まれうる。
【００６７】
前記界面活性剤としては，陰イオン性の界面活性剤や陽イオン性の界面活性剤または非イオン性の界面活性剤を使用することが望ましい。前記陰イオン性の界面活性剤の例としては，炭素数１〜１０００のアルキルカルボン酸塩（望ましくは，炭素数１０〜２００のアルキルカルボン酸塩），炭素数１〜１０００のアルコールスルホン酸エステル塩（望ましくは，炭素数１０〜２００のアルコールスルホン酸エステル塩），炭素数１〜１０００のアルキルスルホン酸塩（望ましくは，炭素数１０〜２００のアルキルスルホン酸塩），炭素数１〜１０００のアルキルベンゼンスルホン酸塩（望ましくは，炭素数１０〜２００のアルキルベンゼンスルホン酸塩），またはその混合物が挙げられる。陽イオン性の界面活性剤の例としては，脂肪酸アミン塩，４級アンモニウム塩，スルホニウム塩，ホスホニウム塩  ，またはそれらの混合物を使用できる。前記非イオン性界面活性剤の例としては，ポリオキシエチレンアルキルエーテル（但し，アルキルは，炭素数１〜１０００のアルキル基であり，望ましくは，炭素数１０〜２００のアルキル基である），ポリオキシエチレンアルキルフェニルエーテル（但し，アルキルは，炭素数１〜１０００のアルキル基，望ましくは，炭素数１０〜２００のアルキル基である），ポリオキシエチレン２次アルコールエーテル，ポリオキシエチレン−オキシプロピレンブロック共重合体，ポリグリセリン脂肪酸エステル，ソルビタン脂肪酸エステル，またはその混合物が挙げられる。
【００６８】
本発明の一具現例及び他の具現例によるインク組成物において，前記界面活性剤の含量は，前記マクロ発色団含有着色剤１００質量部を基準として，約０．０７〜約１０００質量部であることが望ましい。
【００６９】
その他に，本発明のインク組成物は，必要によって湿潤剤，分散剤，粘度調節剤，ｐＨ調節剤，抗酸化剤などをさらに含みうる。
【００７０】
本発明のインク組成物は，密閉された容器に入れて常温で３ヵ月以上保管時に粘度が初期の３倍を超えない。特に，１〜２．５倍の粘度特性を表す。ここで，インク組成物の初期粘度は，常温で約１〜約７ｃｐｓの範囲を有する。
【００７１】
以下，前記した本発明の一具現例及び他の具現例によるインク組成物の製造方法について説明する。
【００７２】
すなわち，マクロ発色団含有着色剤，前記化学式１２〜１５の化合物のような着色剤類似添加剤，及び液体運搬体（例えば，水）を混合し，ここに必要によって有機溶媒，湿潤剤，界面活性剤，分散剤，粘度調節剤などを付加して混合した後，攪拌器で十分に攪拌して均一な状態にする。
【００７３】
その後，前記均一な状態の結果物をフィルタに通過させて濾過することによって，本発明によるインク組成物を得る。
【００７４】
前述したようなインク組成物は，いろいろな色相を印刷できるプリンタを提供するために，インクジェットプリンタ利用時に他のインクと組み合わせるか，または，それぞれ単独で使用可能である。
【００７５】
本発明に係るインク組成物は，インクジェット記録装置のインク収容部またはインクカートリッジに提供されうる。本発明のインクジェット記録装置は，インク組成物を加熱して水蒸気圧でインク液滴を吐出させる方式のサーマルヘッド，ピエゾ素子を利用してインク液滴を吐出させる方式のピエゾヘッド，ディスポーザブルヘッドまたはパーマネントヘッドを備えうる。また，前記インクジェット記録装置は，スキャニング型プリンタまたはアレイ型プリンタであってもよく，デスクトップ用，テキスタイル用及び産業用としても使われうる。前記本発明のインクジェット記録装置と関連したヘッドタイプ，プリンタタイプ及び用途は，本発明のインクジェット記録装置をさらに詳細に説明するために列挙しただけであり，本発明のインク組成物が使われうるインクジェット記録装置は，前述したインクジェット記録装置に限定されず，多様に使用されうることは言うまでもない。
【００７６】
図１は，本発明の一実施形態によるインクジェット記録装置を示した図面である。
【００７７】
これを参照すれば，インクジェット記録装置は，マクロ発色団含有着色剤及び着色剤類似添加剤を含有するインク組成物を含むインクカートリッジを備える。プリンタカバー８は，プリンタ５の本体１３と連結されている。移動性ラッチ１０の互いに噛み合った領域は，ホール７を通じて突出している。移動性ラッチ１０は，固定ラッチ９と互いに噛み合うようになっており，固定ラッチ９は，カバーが閉められる時にプリンタカバーの内部に連結される。前記カバーはホールを通じて延びた移動性ラッチ１０の噛み合った領域に対応するリセス１４を備える。インクカートリッジ１１は，インクカートリッジ１１の下部を通過する紙３にインクを位置させるように装着される。
【００７８】
図２は，本発明のインク組成物を含むインクカートリッジの断面図である。前記インクカートリッジ１００は，インク保存器１１２を形成するカートリッジ本体１１０，インク保存器１１２のトップ領域をカバーする内部カバー１１４，前記内部カバー１１４と所定間隔で離隔され，前記インク保存器１１２と内部カバー１１４とをシーリングする外部カバー１１６を備える。
【００７９】
前記インク保存器１１２は，垂直バリア壁１２３によって，第１チャンバ１２４及び第２チャンバ１２６が区画される。第１チャンバ１２４及び第２チャンバ１２６の間にインク通路１２８が垂直バリア壁１２３の底に形成される。インクは，第１チャンバ１２４，スポンジ１２９，及び第２チャンバ１２６を充填する。前記第２チャンバ１２６に対応するベントホール１２６ａが内部カバー１１４に形成される。
【００８０】
フィルタ１４０は，第２チャンバ１２６の下部に形成されて，インク内の不純物及び微細バブルを濾過してプリンタヘッド１３０の排出ホールがクロッギングされることを防止する。フック１４２は，フィルタ１４０のエッジ（端領域）上に形成されて，スタンドパイプ１３２のトップ領域に配置される。インク保存器１２０のインクがプリンタヘッド１３０の排出ホールを通過して，印刷媒体に小液滴状に排出される。
【実施例】
【００８１】
以下，本発明を下記実施例を挙げてさらに具体的に説明するが，本発明が下記実施例のみに限定されるものではない。
【００８２】
本実施例及び比較例に使われたマクロ発色団含有着色剤，着色剤類似添加剤は，次の通りである。
【００８３】
＜マクロ発色団含有着色剤＞
マクロ発色団含有着色剤１：
【化２４】
2006307221.tif 000026
【００８４】
マクロ発色団含有着色剤１は，米国特許第６，６４８，９５２号明細書の実施例１を参照して合成した。
【００８５】
マクロ発色団含有着色剤２（Ｃａｂｏｔ  ２００（Ｃａｂｏｔ））：
【化２５】
2006307221.tif 000027
【００８６】
Ｃａｂｏｔ  ２００（Ｃａｂｏｔ）
マクロ発色団含有着色剤３（ＣＯＪ２５０（Ｃａｂｏｔ））：
【化２６】
2006307221.tif 000028
【００８７】
マクロ発色団含有着色剤４（Ｃ．Ｉ．Ｄｉｒｅｃｔ  Ｂｌａｃｋ  ６２（ＳｔａｎｄａｒｄＤｙｅｓ  Ｉｎｃ．））：
【化２７】
2006307221.tif 000029
【００８８】
マクロ発色団含有着色剤５：
【化２８】
2006307221.tif 000030
【００８９】
マクロ発色団含有着色剤５は，ＥＰ  ０  ４６８  ６４８明細書の実施例１でフェニレンジアミンの代わりに２，５−ジメチル−１，４−フェニレンジアミンを使用したことを除いては，実施例１と同じ方法によって実施して合成した。
【００９０】
＜着色剤類似添加剤＞
着色剤類似添加剤１：
【化２９】
2006307221.tif 000031
【００９１】
着色剤類似添加剤２：
【化３０】
2006307221.tif 000032
【００９２】
着色剤類似添加剤３：
【化３１】
2006307221.tif 000033
【００９３】
着色剤類似添加剤４：
【化３２】
2006307221.tif 000034
【００９４】
着色剤類似添加剤５：
【化３３】
2006307221.tif 000035
【００９５】
着色剤類似添加剤６：
【化３４】
2006307221.tif 000036
【００９６】
着色剤類似添加剤７：
【化３５】
2006307221.tif 000037
【００９７】
【表１】
2006307221.tif 000038
【００９８】
（実験例１：インクの長期保存安定性（１））
前記実施例１〜９と比較例１〜５とで得られたインク組成物を耐熱性ガラス瓶に１００ｍｌずつ入れた後，入口を密封して６０℃恒温槽に保存した。これを２ヵ月間放置した後に，底での沈殿有無と層分離を確認して次の通り評価し，その結果を次の表２に示した。
○：沈殿無し，層分離無し
△：沈殿無し，層分離あり
×：沈殿発生
【００９９】
（実験例２：インクの長期保存安定性（２））
前記実施例１〜９と比較例１〜５とで得られたインク組成物を耐熱性のガラス瓶に１００ｍｌずつ入れた後，入口を密封して常温（２５℃）で３ヵ月間放置した後に，常温（２５℃）で粘度を測定して次の通り評価し，その結果を次の表２に示した。
◎：放置後粘度≦初期粘度Ｘ１．２
○：初期粘度Ｘ１．２＜放置後粘度≦初期粘度Ｘ２．０
△：初期粘度Ｘ２．０＜放置後粘度≦初期粘度Ｘ３．０
×：放置後粘度＞初期粘度×３．０
【０１００】
（実験例３：画像性能テスト）
前記実施例１〜９及び比較例１〜５で得られたインク組成物のうち，染料インク（実施例１，４，５，６，８，９及び比較例１〜５）は，インクカートリッジＣ−６０（三星電子）に，顔料インク（実施例２，３，７）は，インクカートリッジＭ−５０（三星電子）にリフィールし，プリンタ（ＭＪＣ−２４００Ｃ，三星電子）で三星一般用紙にソリッドボックス（１０＊１０ｃｍ）を印刷した後，ソリッドボックス内部に生成された白線の発生程度によって，次の通りに評価し，その結果を下記表２に示した。
○：白線の発生がほとんど無い
△：白線が少量発生する
×：白線が多量発生する
【０１０１】
（実験例４：耐光性テスト）
実施例１〜９及び比較例１〜５で得られたインク組成物のうち，染料インク（実施例１，４，５，６，８，９及び比較例１〜５）は，インクカートリッジＣ−６０（三星電子）に，顔料インク（実施例２，３，７）は，インクカートリッジＭ−５０（三星電子）にリフィールし，プリンタ（ＭＪＣ−２４００Ｃ，三星電子）で三星フォト用紙にソリッドボックス（２＊２ｃｍ）を印刷した後，これをＱ−ＳＵＮ  ゼノンテストチャンバで１００時間光露出させた後，テスト前後のＯＤ値変化を測定し，次の通りに評価してその結果を下記表２に示した。
Ａ＝ＯＤ（テスト後）／ＯＤ（テスト前）×１００（％）
◎：Ａ≧９５
○：Ａ≧９０
△：８０≦Ａ＜９０
×：Ａ＜８０
【０１０２】
（実験例５：ノズル詰まりテスト）
実施例１〜９及び比較例１〜５で得られたインク組成物のうち，染料インク（実施例１，４，５，６，８，９及び比較例１〜５）は，インクカートリッジＣ−６０（三星電子）に，顔料インク（実施例２，３，７）は，インクカートリッジＭ−５０（三星電子）にリフィールし，常温（２５℃）及び低温（−１８℃）に２週ずつ置いておき，印刷した時に正常印刷が可能になるのに必要なノズル清掃回数を測定し，次の通りに評価してその結果を下記表２に示した。
◎：ノズル清掃１回時で正常印刷可能
○：ノズル清掃２〜４回時で正常印刷可能
×：ノズル清掃５〜１０回時で正常印刷可能
××：ノズル清掃１１回でも正常印刷不可
【０１０３】
【表２】
2006307221.tif 000039
【０１０４】
前記表２から，実施例１〜９のインク組成物の場合，インクの長期保管安定性及び画像性能，耐光性に優れ，長期間保管してもカートリッジでのノズル詰まりを誘発しないということが分かった。
【０１０５】
一方，着色剤類似添加剤が含まれていないか（比較例１，２，３），あるいは含量がマクロ発色団含有着色剤１００質量部を基準として，２０質量部未満である場合（比較例４），インク組成物の長期保管安定性が低下し，ノズルでの詰まり現象が著しく発生し，これに対し，着色剤類似添加剤の含量がマクロ発色団含有着色剤１００質量部を基準として，２０００質量部以上である場合（比較例５），インク組成物の長期保管安定性は向上し，ノズルでの詰まりも誘発しないが，高い粘度のため，画像性能が低下して適当でないことが分かった。
【０１０６】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１０７】
本発明は，インクジェット関連の技術分野に好適に用いられる。
【図面の簡単な説明】
【０１０８】
【図１】本発明によるインクジェットを含むインクカートリッジを備えたインクインクジェット記録装置の説明図である。
【図２】本発明によるインクジェットを含むインクカートリッジの断面図である。
【符号の説明】
【０１０９】
５      プリンタ
７      ホール
８      プリンタカバー
９      固定性ラッチ
１０      移動性ラッチ
１１      インクカートリッジ
１３      本体
１１２      インク保存器
【図１】
2006307221.tif 000062
【図２】
2006307221.tif 000063